(57)【特許請求の範囲】
【請求項１】
走行可能な車体と、吹付材料を吹付けるノズルと、車体の前側に設けられてノズルを任意の位置に移動させる作業腕と、ノズルを車体に設けられたポンプに接続するホースと、作業腕の前側に設けられてホースを引っ掛けるフックと、作業腕の後側に設けられてホースを常に吊下げる可撓性を有する吊下げ具と、から構成し、吊下げ具は、作業腕に上端が止結されたチェーン又はワイヤと、これの下端に設けられて旋動させる為のスイベルと、ホースに外挿されたコイルスプリングと、スイベルとコイルスプリングとを連結するシャックルとを備えている事を特徴とするホース吊下げ装置。
【発明の詳細な説明】
【０００１】
【発明の属する技術分野】
本発明は、例えばコンクリート等の吹付材料をトンネル内に吹付けるコンクリート吹付機等の作業車両に適用されるホース吊下げ装置の改良に関する。
【０００２】
【従来の技術】
従来、この種の作業車両としては、例えば実公平４−１２１５８号に記載されたものが知られている。
当該作業車両は、走行可能な車体と、吹付材料を吹付けるノズルと、車体の前側に設けられてノズルを任意の位置に移動させる作業腕と、ノズルを車体に設けられたポンプに接続するホースとを備えている。
而して、この様なものは、吹付け作業時には、実公平４−１２１５８号の第１図の如く、ホースの一部を地面に這わせて作業腕の運動に支障を与えない様にされていた。
【０００３】
そして、吹付け作業終了後に車両を移動する際には、図略しているが、作業腕の前後二箇所に設けられた略Ｊ型のフックにホースを引っ掛けてホースが地面に擦れない様にしていた。
【０００４】
【発明が解決しようとする課題】
ところが、この様なものは、吹付け作業終了後の車両移動時には、人力に依りホースをフックに引っ掛けねばならなかったので、この種の作業に手間が掛かり、疲労が増大する難点があった。
本発明は、叙上の問題点に鑑み、これを解消する為に創案されたもので、その課題とする処は、作業者の手数と疲労を低減できる様にしたホース吊下げ装置を提供するにある。
【０００５】
【課題を解決するための手段】
本発明のホース吊下げ装置は、基本的には、走行可能な車体と、吹付材料を吹付けるノズルと、車体の前側に設けられてノズルを任意の位置に移動させる作業腕と、ノズルを車体に設けられたポンプに接続するホースと、作業腕の前側に設けられてホースを引っ掛けるフックと、作業腕の後側に設けられてホースを常に吊下げる可撓性を有する吊下げ具と、から構成した事に特徴が存する。
【０００６】
吹付け作業時には、ホースをフックから外してホースの前半の一部が地面に這う様にされる。この時、ホースの後半は、吊下げ具に依り所定高さに吊下げられているので、地面に接触する事がない。この為、作業腕の運動に支障を与える事がない。
吹付け作業が終了して車両を移動させる際には、ホースの前半の一部がフックに引っ掛けられる。この為、ホースは、フックと吊下げ具に依り吊下げられるので、地面に接触して擦る事がなくなる。
作業者は、単一のフックに対してホースを引っ掛けるだけで済むので、手数と疲労を低減できる。
【０００７】
吊下げ具は、作業腕に上端が止結されたチェーンと、これの下端に設けられて旋動させる為のスイベルと、ホースに外挿されたコイルスプリングと、スイベルとコイルスプリングとを連結するシャックルとを備えているのが好ましい。この様にすれば、作業腕に呼応した自由度を備えたものにする事ができ、ホースが捻れたり損傷したりする惧れがなくなる。
【０００８】
【発明の実施の形態】
以下、本発明の実施の形態を、図面に基づいて説明する。
図１は、本発明のホース吊下げ装置を示す側面図。図２は、図１の要部を拡大して示す側面図である。
【０００９】
ホース吊下げ装置１は、車体２、ノズル３、作業腕４、ホース５、フック６、吊下げ具７とからその主要部が構成されて居り、コンクリート吹付機等の作業車両に適用される。
【００１０】
車体２は、走行可能なもので、この例では、図略しているが、前後の車輪やこれを回転させるエンジン等から成る走行装置と、後側に設けられて吹付材料の供給源となるポンプと、前側に設けられたアウトリガ８等を備えている。
【００１１】
ノズル３は、吹付材料を吹付けるもので、この例では、コンクリート等の吹付材料をトンネル内に吹付けるものにしてある。
【００１２】
作業腕４は、車体２の前側に設けられてノズル３を任意の位置に移動し得るもので、この例では、車体２の前側に旋回可能に設けられた旋回体９と、車体２に対して旋回体９を旋回させる旋回駆動機（図示せず）と、旋回体９に俯仰可能に設けられたブーム１０と、旋回体９に対してブーム１０を俯仰させるブームシリンダ１１と、ブーム１０に伸縮可能に設けられた伸縮ブーム１２と、ブーム１０に対して伸縮ブーム１２を伸縮させる伸縮シリンダ１３と、伸縮ブーム１２に俯仰可能に設けられた俯仰体１４と、伸縮ブーム１２に対して俯仰体１４を俯仰させる俯仰シリンダ１５と、俯仰体１４に縦軸廻りに回動可能に設けられた首振体１６と、俯仰体１４に対して首振体１６を回動させる首振シリンダ１７と、首振体１６に前後方向に移動可能に設けられた移動体１８と、首振体１６に対して移動体１８を移動させる移動シリンダ１９と、移動体１８に前後方向軸廻りに回転可能に設けられた回転体２０と、移動体１８に対して回転体２０を回転させる回転モータ２１と、回転体２０に横軸廻りに回転可能に設けられた搖動体２２と、回転体２０に対して搖動体２２を回転させる搖動モータ２３と、搖動体２２に設けられてノズル３を着脱可能に保持するホルダ２４等を備えて居り、ノズル３を三次元的に移動できる様にしてある。
【００１３】
ホース５は、ノズル３を車体２に設けられたポンプに接続するもので、この例では、可撓性を有して居り、図略しているが、固定配管を介して車体２の後側に設けられたポンプに接続してある。固定配管は、車体２の側部に配されて前側まで延びている。
而して、ホース５は、その中程には圧縮空気を添加する圧縮空気添加部２５が設けられていると共に、ノズル３の近傍には急結剤を添加する急結剤添加部２６が設けられている。
【００１４】
フック６は、作業腕４の前側に設けられてホース５を引っ掛けるもので、この例では、作業腕４の首振体１６に垂設されて居り、略Ｊ型を呈してホース５の前半の一部、例えば圧縮空気添加部２５の付近を引っ掛ける様にしてある。
【００１５】
吊下げ具７は、作業腕４の後側に設けられてホース５を常に吊下げる可撓性を有するもので、この例では、作業腕４のブーム１０の先端寄りに上端が止結されたチェーン２７と、これの下端に設けられて縦軸廻りに旋動させる為のスイベル２８と、ホース５に外挿されたコイルスプリング２９と、スイベル２８とコイルスプリング２９とを連結するシャックル３０とを備えている。
【００１６】
フック６と吊下げ具７のチェーン２７は、図１に示す如く、作業腕４のブーム１０を水平にした場合、ホース５が地面に接触しない程度の長さに設定してある。
【００１７】
次に、この様な構成に基づいてその作用を述解する。
吹付け作業時には、ホース５をフック６から外してホース５の前半の一部が地面に這う様にされる。この時、ホース５の後半は、図１に示す如く、吊下げ具７に依り所定高さに吊下げられているので、地面に接触する事がない。この為、作業腕４の運動に支障を与える事がない。
吹付け作業が終了して車両を移動させる際には、ホース５の前半の一部がフック６に引っ掛けられる。この為、ホース５は、図１に示す如く、フック６と吊下げ具７に依り吊下げられるので、地面に接触して擦る事がなくなる。
【００１８】
作業者は、単一のフック６に対してホース５を引っ掛けるだけで済むので、手数を減らす事ができ、疲労を軽減できる。
吊下げ具７は、スイベル２８を用いているので、作業腕４の各種運動に依っても、ホース５が捩れたりする事がなくなる。
吊下げ具７は、コイルスプリング２９を用いてホース５を保持する様にしているので、吊下げ部分の面圧が低下してホース５の損傷を防止する事ができる。
【００１９】
尚、吊下げ具７は、先の例では、チェーン２７を用いていたが、これに限らず、例えばワイヤ等を用いても良い。
【００２０】
【発明の効果】
以上、既述した如く、本発明に依れば、次の様な優れた効果を奏する事ができる。
（１）  車体、ノズル、作業腕、ホース、フック、吊下げ具とで構成し、とりわけ作業腕の前側にホースを引っ掛けるフックを設けると共に、作業腕の後側にホースを常に吊下げる可撓性を有する吊下げ具を設けたので、作業者の手数と疲労を低減できる。
（２）  吊下げ具として、チェーンとシャックルとスイベルとコイルスプリングを用いた場合は、ホースに対して大きな自由度を持たせる事ができ、より一層作業腕の運動に支障を与える事がない。
【図面の簡単な説明】
【図１】本発明のホース吊下げ装置を示す側面図。
【図２】第１図の要部を拡大して示す側面図。
【符号の説明】
１…ホース吊下げ装置、２…車体、３…ノズル、４…作業腕、５…ホース、６…フック、７…吊下げ具、８…アウトリガ、９…旋回体、１０…ブーム、１１…ブームシリンダ、１２…伸縮ブーム、１３…伸縮シリンダ、１４…俯仰体、１５…俯仰シリンダ、１６…首振体、１７…首振シリンダ、１８…移動体、１９…移動シリンダ、２０…回転体、２１…回転モータ、２２…搖動体、２３…搖動モータ、２４…ホルダ、２５…圧縮空気添加部、２６…急結剤添加部、２７…チェーン、２８…スイベル、２９…コイルスプリング、３０…シャックル。
【図１】
0004294241.tif 000002
【図２】
0004294241.tif 000003